(57)【要約】【課題】合成スラブ用デッキプレートとしてもフラットデッキ用デッキプレートとしてもデッキプレート同士の連結が容易で、且つ、幅調整を行うための役物のデッキプレートの種類を低減することができるデッキプレートを提供する。【解決手段】鋼板から折り曲げられて平面視で長方形状に成形されたコンクリートスラブ用のデッキプレート１において、コンクリートスラブの下面を支持する長方形平板状のスラブ支持部２と、このスラブ支持部の面外方向に向け長手方向に沿って突設された補強リブ３と、を備えるとともに、スラブ支持部２の長手両側の縁に沿って面外方向に向け左右一対の係合リブ４，５を突設し、これらの一対の係合リブ４，５を、それぞれ対応する同一角度に鋭角に折り曲げる。【選択図】図２
2018150749.tif 000002
【特許請求の範囲】
【請求項１】
鋼板から折り曲げられて平面視で長方形状に成形されたコンクリートスラブ用のデッキプレートであって、
コンクリートスラブの下面を支持する長方形平板状のスラブ支持部と、このスラブ支持部の面外方向に向け長手方向に沿って突設された補強リブと、が備えられているとともに、
前記スラブ支持部の長手両側の縁に沿って面外方向に向け左右一対の係合リブが突設され、
これらの一対の係合リブは、それぞれ対応する同一角度に鋭角に折り曲げられていること
を特徴とするデッキプレート。
【請求項２】
前記一対の係合リブは、それぞれ対応する同一角度に２回鋭角に折り曲げられていること、
を特徴とする請求項１に記載のデッキプレート。
【請求項３】
前記一対の係合リブの先端には、それぞれ略水平に折り曲げられた折返し片が形成されていること
を特徴とする請求項１又は２に記載のデッキプレート。
【請求項４】
前記一対の係合リブの折返し片は、互いに内側へ折り返されているとともに、
当該一対の係合リブの折返し片の板面の外面と、前記補強リブの先端面とが面一となっていること
を特徴とする請求項３に記載のデッキプレート。
【請求項５】
前記スラブ支持部には、曲げ剛性を高めるため長手方向に沿って折り曲げられて凹凸が形成されていること
を特徴とする請求項１ないし４のいずれかに記載のデッキプレート。
【請求項６】
前記補強リブには、曲げ剛性を高める断面三角形状の部分が形成されていること
を特徴とする請求項１ないし５のいずれかに記載のデッキプレート。
【発明の詳細な説明】
【技術分野】
【０００１】
本発明は、解体を要さない打込み型枠として使用されるコンクリートスラブ用のデッキプレートに関し、詳しくは、合成スラブ用デッキプレートとフラットデッキ用デッキプレートの両方に兼用可能なデッキプレートに関するものである。
【背景技術】
【０００２】
従来、構造物のコンクリートスラブを構築するため、解体を要しない打込み型枠として形鋼や型枠間に架け渡され、その中にコンクリートが打設されて使用されるコンクリートスラブ用デッキプレートが種々提案されている。このようなコンクリートスラブ用デッキプレートは、合成スラブ用デッキプレートとフラットデッキ用デッキプレートの２種類のデッキプレートに大別される。合成スラブ用デッキプレートは、コンクリート打設時には型枠として機能し、コンクリート硬化後はコンクリートと一体になって引張応力を負担する構造部材である。フラットデッキ用デッキプレートは、上面が概ね平ら（フラット）で解体を要さない打込み型枠として使用されるが、構造部材として引張り応力を負担するものとは算定されない非構造部材である。
【０００３】
例えば、特許文献１には、従来技術として、水平なプレート１の下面に断面三角形状の複数条の補強リブ２が形成されたフラットデッキプレート５が開示されている（特許文献１の図面の第１図、第３図等参照）。このフラットデッキプレート５は、長手方向に沿って一側端に形成された鉤爪状の接続片３を設け、この接続片３を隣接する他のフラットデッキプレートの補強リブ２内に圧入して複数のフラットデッキプレート５同士が横方向（水平方向）にずれないように係合・連結させて使用するものである。
【０００４】
また、特許文献２には、特許文献１と略同様のフラット部１の下面に断面三角形状の複数条の補強リブ２が形成されたフラットデッキプレートＦＤが開示されている（特許文献２の図面の図１、図３等参照）。この特許文献２には、フラットデッキプレートＦＤをスポット溶接可能とするため片面に塗装を施しためっき鋼板から構成するとともに、フラットデッキプレートＦＤの天地（上下）を逆にして合成スラブ用デッキプレートとしても使用できることが開示されている。
【０００５】
しかし、特許文献１及び２に記載の従来のフラットデッキ用デッキプレート１０は、合成スラブ用デッキプレートとして使用する場合は、図８（ａ）、（ｂ）に示すように、補強リブの溝内に鉤爪状の接続片等を差し込まなくてはならなかった。この作業は、重いフラットデッキ用デッキプレート１０を持ち上げて、上面から見えない補強リブの溝内に差し込まなくてはならず、デッキプレート同士の連結が非常に困難であるという問題があった。
【０００６】
その上、図８（ｂ）に示すように、従来のフラットデッキ用デッキプレート１０は、合成スラブ用デッキプレートとして使用するために困難な連結作業を行ったとしても、差し込んだ接続片が、荷重が掛かる下方へ抜けるおそれがあった。このため、溶接やカシメなどの何らかの固定手段により、接続片を補強リブに固定する必要があり、連結作業の作業効率が悪いという問題もあった。
【０００７】
また、海外の合成スラブ用デッキプレートの上下を反転させて使用する場合は、デッキプレート同士を繋ぐ嵌合部に隙間が生じるため、その隙間を塞ぐ必要があるという問題もある。
【０００８】
その上、図９（ａ）に示すように、従来のフラットデッキ用デッキプレート１０は、補強リブが３条あり、短手方向の一方の端部に接続片が形成されているものが一般的であった。このため、短手方向の端部に曲げ剛性が期待できず、構築するコンクリートスラブの幅に応じて幅調整を行うため、図９（ｂ）〜（ｄ）に示すように、３種類のデッキプレートの役物１１〜１３が必要であった。このような役物のデッキプレートが複数種類必要であるため、製造コストが嵩むという問題もあった。
【先行技術文献】
【特許文献】
【０００９】
【特許文献１】実公昭６３−１００２２号公報
【特許文献２】特開平９−４１０７号公報
【発明の概要】
【発明が解決しようとする課題】
【００１０】
そこで、本発明は、前述した問題に鑑みて案出されたものであり、その目的とするところは、合成スラブ用デッキプレートとしてもフラットデッキ用デッキプレートとしてもデッキプレート同士の連結が容易で、且つ、幅調整を行うための役物のデッキプレートの種類を低減することができるデッキプレートを提供することにある。
【課題を解決するための手段】
【００１１】
第１発明に係るデッキプレートは、鋼板から折り曲げられて平面視で長方形状に成形されたコンクリートスラブ用のデッキプレートであって、コンクリートスラブの下面を支持する長方形平板状のスラブ支持部と、このスラブ支持部の面外方向に向け長手方向に沿って突設された補強リブと、が備えられているとともに、前記スラブ支持部の長手両側の縁に沿って面外方向に向け左右一対の係合リブが突設され、これらの一対の係合リブは、それぞれ対応する同一角度に鋭角に折り曲げられていることを特徴とする。
【００１２】
第２発明に係るデッキプレートは、第１発明において、前記一対の係合リブは、それぞれ対応する同一角度に２回鋭角に折り曲げられていることを特徴とする。
【００１３】
第３発明に係るデッキプレートは、第１発明又は第２発明において、前記一対の係合リブの先端には、それぞれ略水平に折り曲げられた折返し片が形成されていることを特徴とする。
【００１４】
第４発明に係るデッキプレートは、第３発明において、前記一対の係合リブの折返し片は、互いに内側へ折り返されているとともに、当該一対の係合リブの折返し片の板面の外面と、前記補強リブの先端面とが面一となっていることを特徴とする。
【００１５】
第５発明に係るデッキプレートは、第１発明ないし第４発明のいずれかの発明において、前記スラブ支持部には、曲げ剛性を高めるため長手方向に沿って折り曲げられて凹凸が形成されていることを特徴とする。
【００１６】
第６発明に係るデッキプレートは、第１発明ないし第５発明のいずれかの発明において、前記補強リブには、曲げ剛性を高める断面三角形状の部分が形成されていることを特徴とする。
【発明の効果】
【００１７】
第１発明〜第６発明によれば、合成スラブ用デッキプレートとしてもフラットデッキ用デッキプレートとしても使用することができる。このため、製造ラインを低減して製造コストを低減することができる。
【００１８】
また、第１発明〜第６発明によれば、一対の係合リブがそれぞれ対応する同一角度に鋭角に折り曲げられているので、デッキプレートに打設されるコンクリートの重みで鋭角に折り曲げられた傾斜に沿って、隣接するデッキプレート同士が互いに引き寄せられる方向に力が働く。このため、隣接するデッキプレート同士がピッタリくっ付き、コンクリート打設時のノロ漏れによりセメント成分が硬化してデッキプレートの下面に剥離困難な汚れが付着してしまうことを防止することができる。
【００１９】
それに加え、第１発明〜第６発明によれば、鋭角に折り曲げられた係合リブにより、短手方向の端部の断面性能（曲げ剛性）が向上する。このため、従来のデッキプレートでは、デッキプレートの幅の倍数と構築するコンクリートスラブの幅との関係に端数が生じて幅調整が必要な場合でも、平板状の調整板だけで対応することができ、従来必要であった複数種類の役物が不要となる。よって、デッキプレート及びそれを用いたコンクリートスラブの材料コストを低減及び施工の単純化・短時間化を達成することができる。
【００２０】
特に、第３発明及び第４発明によれば、一対の係合リブの先端には、それぞれ略水平に折り曲げられた折返し片が形成されているので、フラットデッキ用デッキプレートとして使用する際にも、デッキプレートを敷き並べることが容易である。
【００２１】
特に、第５発明によれば、スラブ支持部の平板面に、長手方向に沿って折り曲げられて凹凸が形成されているので、スラブ支持部の曲げ剛性が向上する。よって、コンクリートの強度が発現するまでの施工時の型枠としてのデッキプレートの強度計算において、デッキプレートの長手方向に直交する鉛直断面の全断面積が有効として算定することができる。このため、必要強度に比してデッキプレートの厚さを薄くすることができ、輸送費を含めデッキプレートの設置費用を低減することができる。
【００２２】
特に、第６発明によれば、補強リブには、断面三角形状の部分が設けられているので、製造容易な簡単な構成でデッキプレートの曲げ剛性をさらに高めることができる。
【図面の簡単な説明】
【００２３】
【図１】本発明の実施形態に係るデッキプレートを示す斜視図である。
【図２】同上のデッキプレートを長手方向に沿って水平に見た状態を示す正面図である。
【図３】合成スラブ用のデッキプレートとして使用する場合の同上のデッキプレート同士を係合させて敷き並べた状態を示す斜視図である。
【図４】合成スラブ用のデッキプレートとして使用する場合の同上のデッキプレート同士の係合前の状態を長手方向と直交する鉛直断面で示す係合状態説明図である。
【図５】フラットスラブ用のデッキプレートとして使用する場合の同上のデッキプレート同士を係合させて敷き並べた状態を示す斜視図である。
【図６】フラットスラブ用のデッキプレートとして使用する場合の同上のデッキプレート同士の係合前の状態を長手方向と直交する鉛直断面で示す係合状態説明図である。
【図７】フラットスラブ用のデッキプレートとして使用する場合の幅調整を行う調整板を示す断面図である。
【図８】合成スラブ用のデッキプレートとして従来の兼用デッキプレートを使用した場合のコンクリート打設後の状態を示す図面であり、（ａ）がデッキプレートの長手方向と直交する鉛直断面で示す鉛直断面図、（ｂ）が補強リブの溝に接続片を差し込む部分を拡大して示す部分拡大図である。
【図９】従来のフラットデッキ用デッキプレートと、その役物を示す正面図であり、（ａ）が、従来のフラットデッキ用デッキプレートの標準タイプを示し、（ｂ）〜（ｄ）が、標準タイプより幅の狭い調整用の役物を示している。
【発明を実施するための形態】
【００２４】
以下、本発明の実施形態に係るデッキプレートについて、図面を参照しながら詳細に説明する。
【００２５】
本発明の実施形態に係るデッキプレート１は、解体を要さない打込み型枠として使用されるコンクリートスラブ用のデッキプレートであり、背景技術で述べた、合成スラブ用デッキプレートとフラットデッキ用デッキプレートのいずれにも適用可能となっている。
【００２６】
このデッキプレート１は、溶融亜鉛めっき鋼板などの防錆処理が施された0.8mm〜1.6mm程度の一枚の薄鋼板から折り曲げられて、構造物の形状に応じた所定の長さの平面視で概形が長方形状に成形されている。なお、デッキプレート１の長さは、構築するコンクリートスラブの長さ、及び鋼板の厚さや用途（合成スラブ用デッキプレートとして使用するか、又はフラットデッキ用デッキプレートとして使用するか）によって相違するが、一般的には、0.8m〜3.7m程度の範囲の長さとなっている。
【００２７】
図１は、本発明の実施形態に係るデッキプレート１を示す斜視図であり、図２は、デッキプレート１を長手方向に沿って水平に見た状態を示す正面図である。なお、図１、図２は、デッキプレート１を合成スラブ用デッキプレートとして使用する場合の設置方向を例示している。
【００２８】
図１、図２に示すように、本実施形態に係るデッキプレート１は、コンクリートスラブの下面を支持する長方形平板状のスラブ支持部２と、このスラブ支持部２の面外方向に向け長手方向に沿って突設された補強リブ３と、スラブ支持部２の長手両側の縁に沿って面外方向に向け突設された左右一対の係合リブ４，５など、から構成されている。
【００２９】
図１、図２に示すように、このデッキプレート１は、スラブ支持部２の中央に一条だけ補強リブ３が突設されており、スラブ支持部２は、この補強リブ３を境に第１スラブ支持部２１と、第２スラブ支持部２２に分割されている。勿論、補強リブ３は、複数条設けられていてもよく、スラブ支持部２も３以上に分割されていてもよい。
【００３０】
（スラブ支持部）
第１スラブ支持部２１と第２スラブ支持部２２は、補強リブ３を境に線対称となった左右一対の平板状の部材であり、曲げ剛性を高めるため長手方向に沿って折り曲げられて凹凸が形成されている。
【００３１】
本実施形態に係るスラブ支持部２では、図２に示すように、曲げ剛性を高める凹凸として、第１スラブ支持部２１と第２スラブ支持部２２のいずれにも断面台形状の凸条である山形リブ２３が二本ずつ形成されている。
【００３２】
このため、デッキプレート１上に打設されたコンクリートの強度が発現するまでの施工時の型枠としてのデッキプレート１の強度計算において、デッキプレート１の長手方向に直交する図２の鉛直断面の全断面積が有効として算定することができる。このため、結果的に、必要強度に比してデッキプレートの厚さを薄くすることができ、輸送費を含めデッキプレート１の設置費用を低減することができる。
【００３３】
勿論、スラブ支持部２に設ける凹凸として、断面台形状の凸条である山形リブ２３を例示したが、断面三角形状や多角形状の凸条でもよい。即ち、スラブ支持部２に設ける凹凸は、曲げ剛性を高めるため長手方向に沿って折り曲げられる凹凸であれば、他の形状からなる凸条、凹条の山形リブでも構わない。
【００３４】
（補強リブ）
補強リブ３は、スラブ支持部２の中央（第１スラブ支持部２１と第２スラブ支持部２２の間）に垂設され、スラブ支持部２の長手方向に対する曲げ剛性を向上する機能を有している。この補強リブ３は、２枚の平板状の鋼板が重なり合った立上り部３０と、この立上り部３０の先端に形成された断面三角形状の補強リブ部３１など、から構成されている。この補強リブ部３１は、断面三角形状の底辺部分が補強リブ３の先端面となっている。
【００３５】
（第１係合リブ）
一対の係合リブのうち図２に示す左側の係合リブである第１係合リブ４は、第１スラブ支持部２１と同一鋼板からなり、その左端の縁と連続して第１スラブ支持部２１の面外方向に折り曲げられて形成されている。
【００３６】
この第１係合リブ４は、スラブ支持部２の板面に対して鋭角に立ち上がる第１立上り部４０と、この第１立上り部４０の板面に対して鋭角に折れ曲がる折返し部４１と、この折返し部４１の板面に対して鋭角に折れ曲がる第２立上り部４２など、から構成されている。また、第２立上り部４２の先端には、略水平に折り曲げられた折返し片４３が形成されている。
【００３７】
本実施形態では、第１立上り部４０は、スラブ支持部２の板面（図の水平面）に対して７０°程度で立ち上がり、第１立上り部４０と折返し部４１は、４４°程度の鋭角で交差し、折返し部４１と第２立上り部４２は、４４°程度の鋭角で交差する。即ち、第２立上り部４２は、スラブ支持部２の板面（図の水平面）に対して６５°程度の傾斜角度となっている。
【００３８】
なお、この折返し片４３は、後述の第２係合リブの折返し片４３と、互いに向き合う方向に内側へ折り返されているとともに、折返し片４３の板面の外面と、前述の補強リブ３の補強リブ部３１の先端面とが面一となっている。
【００３９】
（第２係合リブ）
一対の係合リブのうち図２に示す右側の係合リブである第２係合リブ５は、第１スラブ支持部２１の右端の縁と連続して第１スラブ支持部２１の面外方向に折り曲げられて形成されている。この第２係合リブ５は、第１係合リブ４とは左右非対称であるが、隣接する他のデッキプレート１の第１係合リブ４と係合してデッキプレート１同士を連結する機能を有している（図４、図６参照）。
【００４０】
この第２係合リブ５は、第１係合リブ４と同様に、スラブ支持部２の板面に対して鋭角に立ち上がる第１立上り部５０と、この第１立上り部５０の板面に対して鋭角に折れ曲がる折返し部５１と、この折返し部４１の板面に対して鋭角に折れ曲がる第２立上り部５２など、から構成されている。また、第２立上り部５２の先端には、略水平に折り曲げられた折返し片５３が形成されている。
【００４１】
そして、第２係合リブ５の第１立上り部５０は、第１係合リブ４の第１立上り部４０とスラブ支持部２の板面（図の水平面）に対して同一角度で折れ曲がっており、第２係合リブ５の第２立上り部５２は、第１係合リブ４の第２立上り部４２と、スラブ支持部２の板面に対して同一角度で折れ曲がっている。また、第２係合リブ５の第１立上り部５０と折返し部５１は、第１係合リブ４と略同程度の角度で折れ曲がって交差している。
【００４２】
このように、一対の第１係合リブ４と第２係合リブ５は、それぞれ対応する同一角度に２回鋭角に折り曲げられている。このため、第１係合リブ４と、隣接する他のデッキプレート１の第２係合リブ５は、自重とデッキプレート１の上面に打設されるコンクリートの重みで鋭角に折り曲げられた傾斜により互いに引き寄せられる方向に力が働く（図４、図６参照）。このため、隣接するデッキプレート１同士がピッタリくっ付き、コンクリート打設時のノロ漏れによりセメント成分が硬化してデッキプレート１の下面に剥離困難な汚れが付着してしまうことを防止することができる。
【００４３】
また、一対の折返し片４３，５３は、互いにデッキプレート１の内側へ折り返されているとともに、折返し片４３，５３の板面の外面と、補強リブ３の先端面とが面一となっている。このため、後述のように、フラットデッキ用デッキプレートとして使用する際にも、デッキプレートを敷き並べることが容易である。
【００４４】
＜デッキプレートの設置方法及び係合リブの係合方法＞
次に、図３〜図６を用いて、前述の本発明の実施形態に係るデッキプレート１の設置方法と係合リブの係合方法について説明する。
【００４５】
［合成スラブ用デッキプレート］
先ず、図３、図４を用いて、デッキプレート１を合成スラブ用のデッキプレートとして使用する場合の設置方法及び係合方法を、構造物である建築物の床スラブを構築する場合を例示して説明する。図３は、合成スラブ用のデッキプレートとして使用する場合の前述のデッキプレート１同士を係合させて敷き並べた状態を示す斜視図である。また、図４は、合成スラブ用のデッキプレートとして使用する場合のデッキプレート１同士の係合状態を示す図であり、（ａ）が係合前を、（ｂ）が係合後を示している。なお、隣接するデッキプレート１同士を区別するため、一方を実線で示し、他方を破線で示している。
【００４６】
図３に示すように、建築物の床スラブを構築するための打込み型枠として、デッキプレート１を、その長手方向が建築物の梁（横架材）であるＨ形鋼Ｈの軸方向と直交するように設置する。即ち、係合リブ４，５がスラブ支持部２の上となるようにリブを上向きにしてＨ形鋼Ｈ間にデッキプレート１を架け渡して載置する。
【００４７】
そして、図４（ａ）に示すように、破線で示すもう１つのデッキプレート１を、既にＨ形鋼Ｈ上に載置した実線で示すデッキプレート１と略平行となるように並べて載置する。その後、図４（ｂ）に示すように、実線で示すデッキプレート１側へ破線で示すデッキプレート１を押すか、又は引いて第１係合リブ４に第２係合リブ５を係合させてデッキプレート１同士を連結する。なお、連結する際は、いずれか一方デッキプレート１、図示形態の場合は、上となる実線で示した第１係合リブ４側のデッキプレート１を一旦持ち上げて連結する。
【００４８】
このような要領で、第１係合リブ４と第２係合リブ５を係合させて複数のデッキプレート１同士を連結して図３に示すように、必要枚数のデッキプレート１を敷き並べる。
【００４９】
床スラブを支持するＨ形鋼Ｈ（床梁）上にデッキプレート１を全て敷き並べた後、溶接金網などの床スラブの構造設計に応じた所定の配筋を施し、所定設計強度のコンクリートを打設して鉄筋コンクリート製の床スラブを構築する。
【００５０】
このようなデッキプレート１を埋設型枠として用いた鉄筋コンクリート製の合成スラブは、スラブ厚が略均一となっているため、乾燥収縮や耐火性能及び遮音性能も略均一となり、コンクリート硬化後のひび割れを抑制できるとともに、耐火性能及び遮音性能も向上することができる。
【００５１】
［フラットデッキ用デッキプレート］
次に、図５、図６を用いて、前述のデッキプレート１をフラットデッキ用のデッキプレートとして使用する場合の設置方法及び係合方法を、建築物の床スラブを構築する場合を例示して説明する。図５は、フラットデッキ用のデッキプレートとして使用する場合の前述のデッキプレート１同士を係合させて敷き並べた状態を示す斜視図であり、図６は、フラットデッキ用のデッキプレートとして使用する場合のデッキプレート１同士の係合状態を示す図であり、（ａ）が係合前を、（ｂ）が係合後を示している。なお、隣接するデッキプレート１同士を区別するため、一方を実線で示し、他方を破線で示している。
【００５２】
図５に示すように、建築物の床スラブを構築するための打込み型枠としてデッキプレート１を、その長手方向が建築物の梁であるＨ形鋼と直交するように設置する。即ち、Ｈ形鋼Ｈの軸方向に沿って取り付けられた山形鋼Ｌ間に、係合リブ４，５がスラブ支持部２の下となるようにリブを下向き水平に架け渡して載置する。
【００５３】
そして、図６（ａ）に示すように、破線で示すもう１つのデッキプレート１を、実線で示す既にＨ形鋼Ｈ上に載置したデッキプレート１と略平行となるように並べて載置する。その後、図６（ｂ）に示すように、実線で示すデッキプレート１側へ破線で示すデッキプレート１を押すか、又は引いて第１係合リブ４に第２係合リブ５を係合させてデッキプレート１同士を連結する。なお、連結する際は、いずれか一方デッキプレート１、図示形態の場合は、上となる破線で示した第２係合リブ５側のデッキプレート１を一旦持ち上げて連結する。
【００５４】
このような要領で、第１係合リブ４と第２係合リブ５を係合させて複数のデッキプレート１同士を連結して図５に示すように、必要枚数のデッキプレート１を敷き並べる。デッキプレート１を敷き並べる際は、床スラブを支持する床梁であるＨ形鋼Ｈのフランジ上面とデッキプレート１のスラブ支持部２の上面が略面一に揃うように、山形鋼Ｌ上にデッキプレート１を載置する。
【００５５】
このとき、前述のように、折返し片４３，５３の板面の外面と、補強リブ３の先端面とが面一となっているので、山形鋼Ｌ上で左右の水平方向へのスライド移動がスムーズである。よって、フラットデッキ用デッキプレートとして使用する際にも、デッキプレート１を敷き並べることが容易である。
【００５６】
その後、溶接金網などの床スラブの構造設計に応じた所定の配筋を施し、所定設計強度のコンクリートを打設して、鉄筋コンクリート製の床スラブを構築する（図７参照）。
【００５７】
＜役物＞
次に、図７、図９を用いて、デッキデッキプレートとの役物について、従来と比較して説明する。図７は、フラットスラブ用のデッキプレートとして使用する場合の幅調整を行う調整板を示す断面図である。また、図９は、従来のフラットデッキ用デッキプレートと、その役物を示す正面図であり、（ａ）が、従来のフラットデッキ用デッキプレートの標準タイプを示し、（ｂ）〜（ｄ）が、標準タイプより幅の狭い調整用の役物を示している。
【００５８】
図９に示すように、従来のフラットデッキ用デッキプレート１０は、補強リブが３条あり、短手方向の一方の端部に接続片が形成されているものが一般的であった。このため、短手方向の端部に曲げ剛性が期待できず、構築するコンクリートスラブの幅に応じて幅調整を行うため、図９（ｂ）〜（ｄ）に示すように、３種類のデッキプレートの役物１１〜１３が必要であった。
【００５９】
これに対して、本実施形態に係るデッキプレート１では、前述のように、第１係合リブ４及び第２係合リブ５が２回鋭角に折り曲げられている。このため、デッキプレート１の短手方向の端部の曲げ剛性が格段に高くなっており、施工時の型枠としてのデッキプレートの強度計算において、鉛直断面の全断面積が有効として算定することができる。よって、図７に示すように、幅調整の役物が単板からなる１種類の調整板Ｃ１だけで済み、役物のデッキプレートの種類を低減して、製造コストを削減することができる。
【００６０】
＜実施形態に係るデッキプレートの作用効果＞
以上説明した本発明の実施形態に係るデッキプレート１によれば、合成スラブ用デッキプレートとしてもフラットデッキ用デッキプレートとしても使用することができるとともに、いずれのデッキプレートとして使用してもデッキプレート１同士の連結が容易である。また、２種類のデッキプレートを１つの製造ラインで製造できるため、製造ラインを低減して製造コストを低減することができる。
【００６１】
また、本発実施形態に係るデッキプレート１によれば、デッキプレート１に打設されるコンクリートの重みで鋭角に折り曲げられた傾斜に沿って、隣接するデッキプレート同士が互いに引き寄せられる方向に力が働く。このため、隣接するデッキプレート１同士がピッタリくっ付き、コンクリート打設時のノロ漏れによりセメント成分が硬化してデッキプレート１の下面に剥離困難な汚れが付着してしまうことを防止することができる。
【００６２】
それに加え、本発実施形態に係るデッキプレート１によれば、鋭角に折り曲げられた係合リブ４，５により、短手方向の端部の断面性能（曲げ剛性）が向上する。このため、従来のデッキプレート１では、デッキプレート１の幅の倍数と構築するコンクリートスラブの幅との関係に端数が生じて幅調整が必要な場合でも、平板状の調整板だけで対応することができ、従来必要であった複数種類の役物が不要となる。よって、デッキプレート及びそれを用いたコンクリートスラブの材料コストを低減及び施工の単純化・短時間化を達成することができる。
【００６３】
以上、本発明の実施形態に係るデッキプレートについて詳細に説明したが、前述した又は図示した実施形態は、いずれも本発明を実施するにあたって具体化した一実施形態を示したものに過ぎず、これらによって本発明の技術的範囲が限定的に解釈されてはならないものである。特に、デッキプレートをＨ形鋼などの形鋼間に架け渡す場合を例示して説明したが、デッキプレートを基礎等の木製型枠などの型枠間に架け渡してもよいことは云うまでもない。
【符号の説明】
【００６４】
１                                        ：デッキプレート
２                                        ：スラブ支持部
２１                                      ：第１スラブ支持部
２２                                      ：第２スラブ支持部
２３                                      ：山形リブ
３                                        ：補強リブ
３０                                      ：立上り部
３１                                      ：補強リブ部
４                                        ：第１係合リブ
４０                                      ：第１立上り部
４１                                      ：折返し部
４２                                      ：第２立上り部
４３                                      ：折返し片
５                                        ：第２係合リブ
５０                                      ：第１立上り部
５１                                      ：折返し部
５２                                      ：第２立上り部
５３                                      ：折返し片
Ｃ１                                      ：調整板
Ｈ                                        ：Ｈ形鋼（形鋼）
Ｌ                                        ：Ｌ形鋼（形鋼）
１０                                      ：従来のフラットデッキ用デッキプレート
１１，１２，１３                          ：従来のデッキプレートの役物
【図１】
2018150749.tif 000003
【図２】
2018150749.tif 000004
【図３】
2018150749.tif 000005
【図４】
2018150749.tif 000006
【図５】
2018150749.tif 000007
【図６】
2018150749.tif 000008
【図７】
2018150749.tif 000009
【図８】
2018150749.tif 000010
【図９】
2018150749.tif 000011